【手続補正書】
【提出日】平成17年12月27日(2005.12.27)
【手続補正１】
【補正対象書類名】明細書
【補正対象項目名】発明の名称
【補正方法】変更
【補正の内容】
【発明の名称】侵入検知装置
【手続補正２】
【補正対象書類名】明細書
【補正対象項目名】特許請求の範囲
【補正方法】変更
【補正の内容】
【特許請求の範囲】
【請求項１】  送信用漏洩伝送路と受信用漏洩伝送路とを対向して配置し、上記送信用漏洩伝送路と上記受信用漏洩伝送路との間への侵入を検知する測定地点までの測定距離に応じた遅延時間を設定し、拡散符号で変調された送信スペクトル拡散信号を上記送信用漏洩伝送路から放射し、上記受信用漏洩伝送路で受信した上記送信スペクトル拡散信号と上記遅延時間に応じたタイミングを有する参照スペクトル拡散信号との相関を相関手段でとることにより、上記侵入を検知する侵入検知装置において、上記相関手段からの出力信号の周波数解析を行い、周波数が所定の範囲内のとき上記侵入の移動を検知する検知手段とを備えたことを特徴とする侵入検知装置。
【請求項２】  送信用漏洩伝送路と受信用漏洩伝送路とを対向して配置し、上記送信用漏洩伝送路と上記受信用漏洩伝送路との間への侵入を検知する測定地点までの測定距離に応じた遅延時間を設定し、拡散符号で変調された送信スペクトル拡散信号を上記送信用漏洩伝送路から放射し、上記受信用漏洩伝送路で受信した上記送信スペクトル拡散信号と上記遅延時間に応じたタイミングを有する参照スペクトル拡散信号との相関を相関手段でとることにより、上記侵入を検知する侵入検知装置において、上記相関手段からの出力信号を所定時間毎にＡ／Ｄ変換してＡ／Ｄ変換信号を出力するＡ／Ｄ変換手段と、上記Ａ／Ｄ変換信号をフーリエ変換して周波数解析を行い、解析された周波数の予め設定した周波数域のノルムを算出し、上記ノルムが予め設定された設定値以上のときに侵入の移動を検知する検知手段とを備えたことを特徴とする侵入検知装置。
【請求項３】  送信用漏洩伝送路と受信用漏洩伝送路とを対向して配置し、上記送信用漏洩伝送路と上記受信用漏洩伝送路との間への侵入を検知する測定地点までの測定距離に応じた遅延時間を設定し、拡散符号で変調された送信スペクトル拡散信号を上記送信用漏洩伝送路から放射し、上記受信用漏洩伝送路で受信した上記送信スペクトル拡散信号と上記遅延時間に応じたタイミングを有する参照スペクトル拡散信号との相関を相関手段でとることにより、上記侵入を検知する侵入検知装置において、上記相関手段からの出力信号の第１の信号レベルを検出する第１のレベル検出手段と、上記第１の信号レベルを検出してから所定の時間後に上記相関手段からの出力信号の第２の信号レベルを検出する第２のレベル検出手段と、上記第１の信号レベルと上記第２の信号レベルとの差分量の絶対値が設定値以上のときに上記侵入の移動を検知する検知手段とを備えたことを特徴とする侵入検知装置。
【請求項４】  送信用漏洩伝送路と受信用漏洩伝送路とを対向して配置し、上記送信用漏洩伝送路と上記受信用漏洩伝送路との間への侵入を検知する測定地点までの測定距離に応じた遅延時間を設定し、拡散符号で変調された送信スペクトル拡散信号を上記送信用漏洩伝送路から放射し、上記受信用漏洩伝送路で受信した上記送信スペクトル拡散信号と上記遅延時間に応じたタイミングを有する参照スペクトル拡散信号との相関を相関手段でとることにより、上記侵入を検知する侵入検知装置において、上記相関手段からの出力信号の極大値を検知する極大値検知手段と、上記極大値に続いて上記受信信号の極小値を検知する極小値検知手段と、上記極大値と上記極小値との差分量が所定値以上のときに上記侵入の移動を検知する検知手段とを備えたことを特徴とする侵入検知装置。
【請求項５】  請求項１から請求項４のいずれか１項において、上記相関手段からの出力信号を上記測定距離に応じて可変利得増幅手段で調整して、上記測定距離による上記相関手段からの出力信号のレベル差を補正するようにしたことを特徴とする侵入検知装置。
【手続補正３】
【補正対象書類名】明細書
【補正対象項目名】０００４
【補正方法】変更
【補正の内容】
【０００４】
【課題を解決するための手段】
この発明に係わる侵入検知装置は、送信用漏洩伝送路と受信用漏洩伝送路とを対向して配置し、上記送信用漏洩伝送路と上記受信用漏洩伝送路との間への侵入を検知する測定地点までの測定距離に応じた遅延時間を設定し、拡散符号で変調された送信スペクトル拡散信号を上記送信用漏洩伝送路から放射し、上記受信用漏洩伝送路で受信した上記送信スペクトル拡散信号と上記遅延時間に応じたタイミングを有する参照スペクトル拡散信号との相関を相関手段でとることにより、上記侵入を検知する侵入検知装置において、上記相関手段からの出力信号の周波数解析を行い、周波数が所定の範囲内のとき上記侵入の移動を検知する検知手段とを備えたものである。
【手続補正４】
【補正対象書類名】明細書
【補正対象項目名】０００５
【補正方法】変更
【補正の内容】
【０００５】
また、相関手段からの出力信号を所定時間毎にＡ／Ｄ変換してＡ／Ｄ変換信号を出力するＡ／Ｄ変換手段と、Ａ／Ｄ変換信号をフーリエ変換して周波数解析を行い、解析された周波数の予め設定した周波数域のノルムを算出し、ノルムが予め設定された設定値以上のときに侵入の移動を検知する検知手段とを備えたものである。
また、相関手段からの出力信号の第１の信号レベルを検出する第１のレベル検出手段と、第１の信号レベルを検出してから所定の時間後に相関手段からの出力信号の第２の信号レベルを検出する第２のレベル検出手段と、第１の信号レベルと第２の信号レベルとの差分量の絶対値が設定値以上のときに侵入の移動を検知する検知手段とを備えたものである。
また、相関手段からの出力信号の極大値を検知する極大値検知手段と、極大値に続いて相関手段からの出力信号の極小値を検知する極小値検知手段と、極大値と極小値との差分値が設定値以上のときに侵入の移動を検知する検知手段とを備えたものである。
さらに、相関手段からの出力信号を測定距離に応じて可変利得増幅手段で調整して、測定距離による相関手段からの出力信号のレベル差を補正するようにしたものである。
【手続補正５】
【補正対象書類名】明細書
【補正対象項目名】００２０
【補正方法】変更
【補正の内容】
【００２０】
【発明の効果】
この発明によれば、相関手段からの出力信号の周波数解析を行い、周波数が所定の範囲内のとき侵入の移動を検知することにより、環境変化による誤検知を防止することができる。
また、相関手段からの出力信号の周波数解析を行い、解析された周波数の予め設定した周波数域のノルムを算出し、ノルムが予め設定された設定値以上のときに侵入の移動を算出することにより、環境変化による誤検知を防止することができる。
また、相関手段からの出力信号の第１の信号レベルを検出し、第１の信号レベルから所定時間後に検出した第２の信号レベルとの差分量を算出することにより、侵入の移動で受信レベルが振動して差分量が大きく変動するので、差分量の設定値を予め設定しておけば、環境変化に影響されることなく侵入の移動を検知することができる。
また、相関手段からの出力信号の極大値と極小値との差分量が設定値以上のとき侵入の移動を検知することにより、環境変化による誤検知を防止することができる。
さらに、相関手段からの出力信号を測定距離に応じて可変利得増幅手段で調整して、測定距離による出力信号のレベル差を補正するようにしたことにより、検知手段における検知感度を安定化させることができる。